(57)【要約】【課題】圧板を閉じることなくコピー等を行う場合に、紙厚が薄い原稿でも、文字や線を目立たせるコピー結果を出力する。【解決手段】原稿を押圧する圧板を有する画像処理装置であって、原稿画像を読み取る画像読取手段と、画像読取手段により圧板が開いた状態で読み取られた原稿画像を所定の閾値で二値化する二値化手段と、二値化手段により二値化された原稿画像から原稿外画像を検出する第１検出手段と、第１検出手段により検出された原稿外画像を原稿画像から除去する除去手段と、除去手段により原稿外画像が除去された原稿画像に対して二値化手段により二値化を行った該原稿画像から画像が不鮮明な領域を検出する第２検出手段と、第２検出手段により画像が不鮮明な領域が非検出の場合、二値化手段により二値化が行われた原稿画像を出力する画像出力手段とを備える。【選択図】図４
2017073764.tif 000002
【特許請求の範囲】
【請求項１】
原稿を押圧する圧板を有する画像処理装置であって、
原稿画像を読み取る画像読取手段と、
前記画像読取手段により前記圧板が開いた状態で読み取られた原稿画像を所定の閾値で二値化する二値化手段と、
前記二値化手段により二値化された原稿画像から原稿外画像を検出する第１検出手段と、
前記第１検出手段により検出された原稿外画像を原稿画像から除去する除去手段と、
前記除去手段により原稿外画像が除去された原稿画像に対して前記二値化手段により二値化を行った該原稿画像から画像が不鮮明な領域を検出する第２検出手段と、
前記第２検出手段により前記画像が不鮮明な領域が非検出の場合、前記二値化手段により二値化が行われた原稿画像を出力する画像出力手段と
を備えることを特徴とする画像処理装置。
【請求項２】
前記第２検出手段により前記画像が不鮮明な領域として黒領域が所定割合検出された場合、前記二値化手段により前記所定の閾値から値を下げた閾値で二値化を行うことを特徴とする請求項１記載の画像処理装置。
【請求項３】
前記圧板の開閉状態を検知する検知手段を備え、
前記除去手段は、前記検知手段により圧板が開状態であることを検知した場合、前記原稿外画像を原稿画像から除去する処理を行うことを特徴とする請求項１又は２記載の画像処理装置。
【請求項４】
前記除去手段は、前記検知手段により圧板が閉状態であることを検知した場合、前記原稿外画像を原稿画像から除去する処理を行わないことを特徴とする請求項３記載の画像処理装置。
【請求項５】
前記第２検出手段により前記黒領域が検出された場合、前記二値化手段による所定の閾値から値を下げた閾値による二値化を行うか否かをユーザに確認する確認画面を表示する表示手段を備えることを特徴とする請求項２から４の何れか１項に記載の画像処理装置。
【請求項６】
前記二値化手段は、所定の閾値から値を下げた閾値による二値化を行う回数を設定する機能を有することを特徴とする請求項２から５の何れか１項に記載の画像処理装置。
【請求項７】
前記二値化手段は、所定の閾値の変更範囲を設定する機能を有することを特徴とする請求項２から６の何れか１項に記載の画像処理装置。
【請求項８】
前記第２検出手段は、前記黒領域の検出条件を、原稿画像に対する黒領域の割合とした場合に、該割合を変更する機能を有することを特徴とする請求項２から７の何れか１項に記載の画像処理装置。
【請求項９】
原稿を押圧する圧板を有する画像処理装置による画像処理方法であって、
原稿画像を読み取り記憶部に記憶するステップと、
前記圧板が開いた状態で読み取られて前記記憶部に記憶された原稿画像を所定の閾値で二値化するステップと、
二値化された原稿画像から原稿外画像を検出するステップと、
検出された原稿外画像を原稿画像から除去するステップと、
原稿外画像が除去された原稿画像に対して二値化を行った該原稿画像から画像が不鮮明な領域を検出するステップと、
前記画像が不鮮明な領域が非検出の場合、二値化が行われた原稿画像を出力するステップと
を含むことを特徴とする画像処理方法。
【請求項１０】
原稿を押圧する圧板を有する画像処理装置のプログラムであって、
コンピュータに、
原稿画像を読み取り記憶部に記憶する手順と、
前記圧板が開いた状態で読み取られて前記記憶部に記憶された原稿画像を所定の閾値で二値化する手順と、
二値化された原稿画像から原稿外画像を検出する手順と、
検出された原稿外画像を原稿画像から除去する手順と、
原稿外画像が除去された原稿画像に対して二値化を行った該原稿画像から画像が不鮮明な領域を検出する手順と、
前記画像が不鮮明な領域が非検出の場合、二値化が行われた原稿画像を出力する手順と
を実行させることを特徴とするプログラム。
【発明の詳細な説明】
【技術分野】
【０００１】
本発明は、画像処理装置、画像処理方法、及び、プログラムに関する。
【背景技術】
【０００２】
従来から、複写機やスキャナ等においてコピーを実施する際、例えば雑誌や書籍等をコピーする場合や、圧板の開け閉めの手間を省く場合等、圧板を閉じずに使用するケースがある。この場合、雑誌や書籍等の原稿が置かれていない範囲は黒ベタ塗りでコピーされてしまう。これを解決するために、原稿より外の範囲の黒ベタを除去する技術が既に知られている。
【０００３】
上記に関し、例えば特許文献１には、画像情報をデジタル処理して画像編集・複写を行うデジタル複写機などの画像編集装置において、読み取った原稿画像からベタ部を検出し、画像形成すべき画像情報から消去する構成が開示されている。
【発明の概要】
【発明が解決しようとする課題】
【０００４】
しかし、例えば特許文献１のような従来の複写機においては、例えば伝票等のように紙厚が薄い原稿に対して、圧板を開けたままコピーを実施すると、原稿内も濃い黒と判断されてコピーされる場合がある。この場合、原稿外の黒ベタを除去したとしても、原稿内にユーザの期待と異なる黒が残ってしまい、例えば原稿内の文字が見えない等のコピー結果が出力されてしまう。
【０００５】
本発明は、このような実情に鑑みてなされたものであって、圧板を閉じることなくコピー等を行う場合に、紙厚が薄い原稿でも、文字や線を目立たせるコピー結果を出力することを目的とする。
【課題を解決するための手段】
【０００６】
上記の課題を解決するために、本発明の画像処理装置は、原稿を押圧する圧板を有する画像処理装置であって、原稿画像を読み取る画像読取手段と、画像読取手段により圧板が開いた状態で読み取られた原稿画像を所定の閾値で二値化する二値化手段と、二値化手段により二値化された原稿画像から原稿外画像を検出する第１検出手段と、第１検出手段により検出された原稿外画像を原稿画像から除去する除去手段と、除去手段により原稿外画像が除去された原稿画像に対して二値化手段により二値化を行った該原稿画像から画像が不鮮明な領域を検出する第２検出手段と、第２検出手段により画像が不鮮明な領域が非検出の場合、二値化手段により二値化が行われた原稿画像を出力する画像出力手段とを備えることを特徴とする。
【発明の効果】
【０００７】
本発明によれば、圧板を閉じることなくコピー等を行う場合に、紙厚が薄い原稿でも、文字や線を目立たせるコピー結果を出力することが可能となる。
【図面の簡単な説明】
【０００８】
【図１】本発明の実施形態における画像処理装置の概略図である。
【図２】圧板の開閉時におけるコピーの実施結果について説明する模式図である。
【図３】本発明の実施形態における画像処理装置のハードウェア構成図である。
【図４】本発明の実施形態における画像処理装置の機能ブロック図である。
【図５】本発明の実施形態におけるＧＵＩ画面例について説明する模式図である。
【図６】本発明の実施形態におけるユーザ操作画面例について説明する模式図である。
【図７】本発明の実施形態における原稿外画像検出の手法について説明する模式図である。
【図８】本発明の実施形態における印刷する画像データの画像処理手順について説明する模式図である。
【図９】本発明の実施形態における画像処理手順を示すフローチャートである。
【図１０】本発明の実施形態における画像処理手順を示すフローチャートである。
【図１１】本発明の実施形態における画像処理手順を示すフローチャートである。
【発明を実施するための形態】
【０００９】
本発明の実施形態における画像処理装置に関し以下図面を用いて説明するが、本発明の趣旨を越えない限り、何ら本実施形態に限定されるものではない。なお、各図中、同一又は相当する部分には同一の符号を付しており、その重複説明は適宜に簡略化乃至省略する。また、以下に記載する実施形態は本発明の最良の形態であって、本発明にかかる特許請求の範囲を限定するものではない。
【００１０】
なお、本実施形態においては、画像処理装置として圧板を有する複写機を例として説明するが、原稿台に載置された原稿を押圧する圧板を有する装置であれば、複写機に限定されない。例えば、ＭＦＰでもスキャナ等の圧板を有する装置であればよい。
【００１１】
［本実施形態における画像処理装置の概略について］
本実施形態における画像処理装置の概略について図１を参照して説明する。本実施形態における画像処理装置１は、原稿を読み取る原稿台に開閉可能な圧板１０を備える。なお、本実施形態の画像処理装置１では、圧板１０は装置後部を支点として上下に開閉するものであるが、これに限定されず、左右何れかを支点として開閉するものであってもよい。
【００１２】
圧板１０は、原稿を押圧するカバー部１１と原稿を読み取る原稿読取部１２を有する。なお、画像処理装置１は、読み取られた原稿画像を印刷する印刷エンジンや印刷する用紙を搬送する用紙搬送機構や原稿画像が印刷された用紙を排出する用紙排出部等、複写機を構成する一般的な機構を備えるが、詳細な説明は割愛する。
【００１３】
［圧板の開閉時におけるコピーの実施結果について］
本実施形態の画像処理装置１について説明する前に、例えば伝票等の紙厚の薄い原稿を、圧板１０を閉じて原稿を読み取った場合と、圧板１０を開けて原稿を読み取った場合の原稿読取結果について図２を参照して説明する。なお、ここでは、原稿サイズをＡ５サイズとして、Ａ５サイズの略半分のサイズの伝票を読み取る場合を例として説明する。
【００１４】
圧板１０を閉じて伝票を読み取った場合、伝票画像の外側は何も印刷されずに、通常は例えば白等の用紙の色そのものが反映される。他方、圧板１０を開いたまま伝票を読み取った場合、伝票画像の外側には例えば黒等のベタ画像（以下、本実施形態においては「原稿外画像」という。）が印刷されてしまう。
【００１５】
すなわち、圧板１０を閉じて伝票を読み取った場合、伝票画像の外側部分は何も画像がないものとみなされ、圧板１０を開いたまま伝票を読み取った場合、原稿外画像の部分ように、例えば黒領域とみなされてしまう。
【００１６】
［本実施形態における画像処理装置のハードウェア構成について］
本実施形態における画像処理装置１のハードウェア構成について図３を参照して説明する。画像処理装置１は、ハードウェア構成として、イメージセンサ５１と、Ａ／Ｄ変換部５２と、画像形成部５３と、開閉センサ５４と、ＣＰＵ５５と、ＲＯＭ５６と、ＲＡＭ５７と、画像メモリ５８と、表示部５９とを備える。
【００１７】
イメージセンサ５１は、原稿台に置かれた原稿から原稿画像を読み取る機構であり、例えばＣＣＤやＣＭＯＳ等である。Ａ／Ｄ変換部５２は、読み取ったアナログデータとしての画像データをデジタルデータに変換する機構である。
【００１８】
画像形成部５３は、例えば原稿画像を印刷する印刷エンジン等である。開閉センサ５４は、圧板１０の開閉状態を検知するための機構であり、本実施形態においては検知手段として機能する。表示部５９は、例えば、液晶表示素子が用いられる。
【００１９】
ＣＰＵ５５は、本実施形態における画像処理装置１の全体制御を行う。ＣＰＵ５５は、以下に説明する処理ブロックを定義したプログラムをその格納先であるＲＯＭ５６からワークメモリであるＲＡＭ５７に読み出して実行する。画像メモリ５８は、読み取られた原稿画像や画像処理後の画像等を記憶する記憶部である。
【００２０】
［本実施形態における画像処理装置の機能ブロックについて］
本実施形態における画像処理装置１の機能ブロックについて、図４を参照して説明する。画像処理装置１は、機能ブロックとして、画像読取部１０１と、二値化部１０２と、第１検出部１０３と、除去部１０４と、第２検出部１０５と、画像出力部１０６を備える。なお、第１検出部１０３と第２検出部１０５における「第１」「第２」の用語は、形式的な記載であり、第１検出部１０３と第２検出部１０５とで、相互の優劣や序列等の格別の意義を有するものではない。
【００２１】
画像読取部１０１は、原稿画像を読み取る画像読取手段であり、図３に示したイメージセンサ５１、Ａ／Ｄ変換部５２、ＣＰＵ５５等によりその機能が実現される。
【００２２】
二値化部１０２は、画像読取部１０１により圧板１０が開いた状態で読み取られた原稿画像を所定の閾値Ｘで二値化する二値化手段である。「所定の閾値Ｘ」とは、例えば「黒→白」を「０→２５５」と定義した場合に、０（黒）に近い値をいう。これにより、原稿外画像を全て黒領域とすることができる。
ここで、（黒）に近い値とは、例えば、１０や２０という値が考えられる。
【００２３】
第１検出部１０３は、二値化部１０２により二値化された原稿画像から原稿外画像である例えば黒領域を検出する手段である。
【００２４】
除去部１０４は、第１検出部１０３により検出された原稿外画像を原稿画像から除去する除去手段である。除去部１０４による原稿外画像の除去は、本実施形態においては原稿外画像としての黒領域を白画像で塗りつぶす処理により行う。なお、除去の手法としては、これに限定されず、原稿外画像を除去可能な公知の手法であってもよい。
【００２５】
第２検出部１０５は、除去部１０４により原稿外画像が除去された原稿画像に対して二値化部１０２により二値化を行った該原稿画像から画像が不鮮明な領域を検出する第２検出手段である。「画像が不鮮明な領域」とは、例えば原稿画像中における黒い部分や、その逆に文字や線が薄くて見えない等、元原稿の内容を認識できない領域をいう。
【００２６】
画像出力部１０６は、第２検出部１０５により画像が不鮮明な領域が非検出の場合、二値化部１０２により二値化が行われた原稿画像を出力する画像出力手段であり、図３における画像形成部５３とＣＰＵ５５によりその機能が実現される。なお、「出力」には画像形成部５３により用紙に画像を形成すなわち印刷することや、表示部等に画像を表示すること等も含まれる。
【００２７】
また、第２検出部１０５により画像が不鮮明な領域として黒領域が所定の割合検出された場合、二値化部１０２により所定の閾値Ｘから値を下げた閾値Ｘで二値化を行う。値を下げた閾値Ｘで二値化を行うか否かは、画像を読み取れない領域としての例えば原稿画像内の黒領域の割合に基づいて判定することが好ましい。例えば、原稿画像に対する黒領域の割合が３０％以上であるとき等に、その割合が３０％未満になるまで、値を下げた閾値Ｘによる二値化を行えばよい。なお、二値化キャンセル及び閾値Ｘの変更については所定の回数制限を設けることが好ましい。
【００２８】
また、画像処理装置１は、検知手段としての開閉センサ５４により圧板１０が開状態であることを検知した場合に、原稿外画像を原稿画像から除去する処理を行うこととしてもよい。つまり、開閉センサ５４により圧板１０が閉状態であることを検知した場合、原稿外画像を原稿画像から除去する処理を行わない。これにより、不要な画像処理が行われることを防止して、例えばコピー処理が完了するまでの時間等の処理時間の短縮を図ることが可能になる。
【００２９】
なお、この場合の除去処理は、除去部１０４による処理だけでなく、図４に示した二値化部１０２、第１検出部１０３による処理も含まれる。
【００３０】
［本実施形態におけるＧＵＩ画面例について］
本実施形態におけるＧＵＩ画面例について図５を参照して説明する。本実施形態における画像処理装置１は、第２検出部１０５により画像が不鮮明な領域が検出された場合、二値化部１０２による所定の閾値Ｘから値を下げた閾値Ｘによる二値化を行うか否かをユーザに確認する確認画面を表示する表示手段を備えていてもよい。表示手段としては、例えば画像処理装置における操作パネルにおける液晶ディスプレイ等が挙げられる。図５はそのディスプレイに表示されるＧＵＩ画面例を示すものである。
【００３１】
図５では、「印刷濃度を変更して再出力することができます。印刷を終了しますか。」という確認メッセージ２０１が表示され、その下側に、印刷終了を実行するための「終了」ボタン２０２、印刷濃度を濃くするための「濃くする」ボタン２０３、印刷濃度を薄くするための「薄くする」ボタン２０４が配置されている。このようなＧＵＩ画面を表示することにより、自動で行った二値化の結果が期待通りでない場合に、１からコピー処理を実施するといった時間を短縮することが可能となる。
表示部５９（図３参照）には、確認メッセージ２０１を含むメッセージが表示される。
【００３２】
［本実施形態におけるユーザ操作画面例について］
本実施形態におけるユーザ操作画面例について図６を参照して説明する。操作画面例は、例えば上述した液晶ディスプレイ等に表示される。まず、二値化やり直しの最大回数を設定することができる操作画面例について図６（ａ）を参照して説明する。
【００３３】
すなわち、図４に示した二値化部１０２は、所定の閾値Ｘから値を下げた閾値による二値化を行う回数を設定する機能を有する。図６（ａ）では上下矢印を、タッチ操作等を行うことにより設定数値を変更することとしているが、ディスプレイ外に配置された操作ボタンを介して操作できることとしてもよい。本図では最大回数を１０回まで設定できることになっているが、これに限定されない。本機能により、原稿の特徴によって、最適な値を入力することでより良い印刷結果を出力することが可能となる。
【００３４】
次に、二値化やり直し時における閾値の下げ幅を設定する操作画面例について図６（ｂ）を参照して説明する。すなわち、二値化部１０２は、所定の閾値の変更範囲を設定する機能を有する。本図では例えば１〜２５５までの範囲で閾値を設定することができる。本機能によっても、原稿の特徴によって、最適な値を入力することでより良い印刷結果を出力することが可能となる。
【００３５】
次に、二値化結果の原稿内黒領域の割合の上限を設定する操作画面例について図６（ｃ）を参照して説明する。すなわち、図４に示した第２検出部１０５は、画像を読み取れない領域の検出条件を、原稿画像に対する該画像を読み取れない画像の割合とした場合に、該割合、ここでは黒割合を変更する機能を有する。本図では０〜１００％の範囲で上限を設定することができる。本機能によっても、原稿の特徴によって、最適な値を入力することでより良い印刷結果を出力することが可能となる。
入力された値は、装置内の不揮発性のメモリ（例えば、フラッシュメモリ）に表１に示すようなテーブルに格納しておく。
【００３６】
【表１】
2017073764.tif 000003
【００３７】
［本実施形態における原稿外画像検出の手法について］
本実施形態における第１検出部１０３による原稿外画像検出の手法について図７を参照して説明する。図７に示すスキャン画像データは、圧板１０を開けたまま、原稿をコピーした結果の画像データである（［１］参照）。上述のように、この画像データに対して二値化処理を行うと、原稿外画像は黒領域となる（［２］参照）。
【００３８】
ここで、例えば、スキャン画像データの横幅を１００００、縦幅を５０００と想定する。第１検出部１０３は、まずＸ方向について探索を行う。探索条件として、探索の始点を“原稿外画像検出用二値化データ”の最下、最も右の位置とする。そして、第１検出部１０３は、左に向かって、黒のデータが１００００連続していることを確認する。
【００３９】
その後、第１検出部１０３は、探索の始点を上にずらす。このとき、上にずらす量は大きくしても良い。そして、第１検出部１０３は、同様の探索を繰り返し、黒のデータの連続が１００００より少なく止まったら、そのｙ軸方向位置が境界であることが判定されるため、そのｙ軸方向位置を記憶する（ここまで［３］参照）。なお、ずらす量を大きくしている場合は、前回位置との間に境界があるため、前回位置との差を詰めて探索し、境界を発見することが好ましい。
【００４０】
次に、第１検出部１０３は、Ｙ方向探索を行う。探索条件として、探索の始点を“原稿外画像検出用二値化データ”の最下、最も右の位置とする。そして、第１検出部１０３は、上に向かって、黒のデータが５０００連続していることを確認する。
【００４１】
その後、第１検出部１０３は、探索の始点を左にずらす。このとき、左にずらす量は大きくしても良い。第１検出部１０３は、同様の探索を繰り返し、黒のデータの連続が５０００より少なく止まったら、そのｘ軸方向位置が境界であることが判定されるため、そのｘ軸方向位置を記憶する（ここまで［４］参照）。なお、ずらす量を大きくしている場合は、前回位置との間に境界があるため、前回位置との差を詰めて探索し、境界を発見することが好ましい。
【００４２】
第１検出部１０３は、探索の結果、記憶しているＹ軸方向位置と、Ｘ軸方向位置が、原稿画像と原稿外画像との境界であることが判定されるため、境界の内側が原稿画像、境界の外側が原稿外画像とみなすことができる（ここまで［５］参照）。
【００４３】
［本実施形態における印刷する画像データの画像処理手順について］
本実施形態における印刷する画像データの画像処理手順について図８を参照して説明する。除去部１０４は、スキャンした画像データ（［１］参照）に対して、第１検出部１０３が検出した原稿外画像である黒領域を白塗りする（［２］参照）。この白塗り後の画像データに対して、二値化部１０２により二値化を行うことで、文字、線を目立たせることができる。
【００４４】
他方、二値化部１０２により二値化された原稿画像に画像が不鮮明な領域としての黒領域が存在する場合（［３］参照）、すなわち第２検出部１０５が同領域を所定の割合検出し、期待通りでないと判定した場合（［４］参照）、当初の二値化をキャンセルし、二値化部１０２により当初の閾値より値を下げた閾値で二値化を行う。
【００４５】
なお、本実施形態においては、二値化をやり直すと判定する基準となる上記領域の割合を例えば３０％以上としているが、図６（ｃ）に示したように、この割合を変更することが可能である。
【００４６】
そして、閾値の値を下げて行う二値化により、第２検出部１０５が原稿画像内の黒領域が３０％未満であると判定した場合、期待通りの画像データであると判断し、この画像データを印刷する（［５］参照）。なお、処理負荷軽減、処理速度向上の観点から、二値化のキャンセルは最大２回までが好ましい。
【００４７】
［本実施形態における画像処理手順について］
本実施形態における画像処理手順について図９〜１２を参照して説明する。ここでは、本実施形態における上述した処理によるモードを専用コピーモードとしてまず図９を参照して説明する。画像処理装置１は、専用コピーモードか否かを判定する（ステップＳ１）。判定する例としては、表示部５９上でユーザがコピーの設定を行う際に、例えば、圧板オープンコピーモードのような専用コピーモードの指定を、ユーザから選択を受け付けると、専用コピーモードとして判定する。また、ユーザからのコピー実行を受けたときに圧板１０が開状態か閉状態かを判断し、開状態であれば専用コピーモードとして判定し、閉状態であれば専用コピーモードでないと判定する。専用コピーモードであると判定した場合（ステップＳ１、ＹＥＳ）、二値化部１０２は、スキャンした画像データに対して、例えば１０等の黒に近い閾値Ｙで二値化を行う（ステップＳ２）。
【００４８】
次に、第１検出部１０３は、原稿外画像しての黒領域を検出する（ステップＳ３）。その後、除去部１０４は、第１検出部１０３により検出された黒領域を白く塗りつぶすことで黒領域を除去する（ステップＳ４）。
【００４９】
処理後の画像データについて、二値化部１０２により所定の閾値Ｙで二値化を行う（ステップＳ５）。二値化部１０２は、原稿内黒領域の割合が閾値Ｙ（例えば、３０％）以上であり（ステップＳ６、ＹＥＳ）、二値化のやり直し回数が所定回数（例えば、２回）以下であるとき（ステップＳ７、ＹＥＳ）、それまでの二値化をキャンセルし、当初の閾値Ｙから値を下げた閾値により再度二値化を行う（ステップＳ８）。その後は、二値化のやり直し回数を１つカウントし（ステップＳ９）、ステップＳ６からの処理を繰り返す。
【００５０】
他方、二値化部１０２により、原稿内黒領域の割合が３０％未満であるか（ステップＳ６、ＮＯ）、３０％以上であっても（ステップＳ６、ＹＥＳ）、二値化のやり直し回数が２回を超えるとき（ステップＳ７、ＮＯ）、画像出力部１０６は画像処理後の画像データを印刷する（ステップＳ１０）。
【００５１】
なお、画像処理装置１は、専用コピーモードでないと判定した場合（ステップＳ１、ＮＯ）、通常のコピーを実施し（ステップＳ１１）、スキャンした画像データを印刷する（ステップＳ１２）。
【００５２】
次に、専用コピーモードでの処理前にモード設定変更を行う手順について図１０を参照して説明する。画像処理装置１は、モード設定変更を行う場合（ステップＳ２１、ＹＥＳ）、ディスプレイに図６（ａ）に示したＧＵＩ画面を表示し、ユーザに対して二値化やり直しカウントの設定を促す（ステップＳ２２）。なお、モード設定変更についても、画像処理装置１は、モード設定変更の有無を、操作パネルに対するユーザによる設定変更操作を受けたか否かにより判定すればよい。
【００５３】
次に、画像処理装置１は、図６（ｂ）に示したＧＵＩ画面を表示し、ユーザに対して二値化の閾値下げ幅の設定を促す（ステップＳ２３）。その後、画像処理装置１は、図６（ｃ）に示したＧＵＩ画面を表示し、ユーザに対して二値化後の原稿内黒領域の割合の判定条件の設定を促す（ステップＳ２４）。
【００５４】
次に、本実施形態の処理後の手順について図１１を参照して説明する。画像処理装置１は、所定のＧＵＩ画面を表示し、処理後の画像データの印刷結果が期待通りであるかについてユーザに確認を促す（ステップＳ４１）。このとき表示されるＧＵＩ画面は、図５に示した画面や、この画面の前に、印刷結果が期待通りであるかを確認するための画面等を用意すればよい。画像処理装置１は、期待通りであるとのユーザからの回答を受けて、図５の画面を表示させることとしてもよい。
【００５５】
画像処理装置１は、ユーザからの回答が期待通りであるか、図５に示したＧＵＩ画面においてユーザが「終了」ボタン２０２を選択した場合に（ステップＳ４１、期待通り）処理を終了する。
【００５６】
他方、画像処理装置１は、ユーザからの回答が期待通りでない、例えば「文字や線が消えている」等とユーザが判断し、図５のＧＵＩ画面において「濃くする」アイコンが選択された場合（ステップＳ４１、文字や線が消えている）、二値化部１０２により、それまでの二値化をキャンセルし、閾値Ｙを上げてから再度二値化を行う（ステップＳ４２）。その後は、再びステップＳ４１の処理へ戻る。
【００５７】
また、画像処理装置１は、ユーザからの回答が期待通りでない、例えば「期待しない領域が残っている」等とユーザが判断し、図５のＧＵＩ画面において「薄くする」アイコンが選択された場合（ステップＳ４１、期待しない領域が残っている）、二値化部１０２により、それまでの二値化をキャンセルし、閾値Ｙを下げてから再度二値化を行う（ステップＳ４３）。その後は、再びステップＳ４１の処理へ戻る。
【００５８】
スキャンした範囲の内、原稿が置かれていない部分の画像データを二値化すると、原稿外画像は全て黒領域となる。本実施形態によれば、この結果から原稿外画像の黒領域を検出し、二値化する前の画像データに対して、この黒領域を白で塗りつぶすことで、圧板１０を閉じてスキャンした結果と同等の結果を得ることができる。
【００５９】
また、こうして出来上がった画像に対して、文字や線を目立たせる画像処理を掛けることで、圧板１０を閉じることなくコピー等を行う場合に、紙厚が薄い原稿でも、文字や線を目立たせるコピー結果を出力することが可能となる。
【００６０】
なお、上述する各実施の形態は、本発明の好適な実施の形態であり、本発明の要旨を逸脱しない範囲内において種々変更実施が可能である。例えば、上述した本実施形態の画像処理装置における各処理を、ハードウェア、又は、ソフトウェア、あるいは、両者の複合構成を用いて実行することも可能である。
【００６１】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【符号の説明】
【００６２】
１    画像処理装置
１０    圧板
１１    カバー部
１２    原稿読取部
５１    イメージセンサ
５２    Ａ／Ｄ変換部
５３    画像形成部
５４    開閉センサ
５５    ＣＰＵ
５６    ＲＯＭ
５７    ＲＡＭ
５８    画像メモリ
５９    表示部
１０１    画像読取部
１０２    二値化部
１０３    第１検出部
１０４    除去部
１０５    第２検出部
１０６    画像出力部
【先行技術文献】
【特許文献】
【００６３】
【特許文献１】特開平０９−０６５１０５号公報
【図１】
2017073764.tif 000004
【図２】
2017073764.tif 000005
【図３】
2017073764.tif 000006
【図４】
2017073764.tif 000007
【図５】
2017073764.tif 000008
【図６】
2017073764.tif 000009
【図７】
2017073764.tif 000010
【図８】
2017073764.tif 000011
【図９】
2017073764.tif 000012
【図１０】
2017073764.tif 000013
【図１１】
2017073764.tif 000014